(57)【特許請求の範囲】
【請求項１】
アッパーを有する履物製品であって、前記アッパーが、
前記アッパーの内側側部を少なくとも部分的に形作る内側部と、前記アッパーの外側側部を少なくとも部分的に形作る外側部と、前記内側部と前記外側部との間に位置するスロート領域とを含むニット構成要素であって、前記スロート領域は着用者の足の上面に対応するように構成され、前記ニット構成要素が前記スロート領域に締めひもチャネルを画成し、前記スロート領域に、上ニット層および底ニット層の２つの重なっているニット層を含む、ニット構成要素と、
それぞれが前記アッパーの内側側部および外側側部に設けられた複数の締めひも収容要素であって、前記複数の締めひも収容要素のうちの２つが、前記締めひもチャネルの両端部に隣接して配置される、複数の締めひも収容要素と、
前記締めひもチャネルを通って延び、および前記締めひも収容要素のうちの２つに係合する締めひもと、を含み、
前記締めひもチャネルは前記ニット構成要素の前記スロート領域の、前記上ニット層と前記底ニット層との間に埋め込まれている、履物製品。
【請求項２】
前記締めひもチャネルは、前記履物製品の長手方向軸に対して対角線上に向けて配置される、請求項１に記載の履物製品。
【請求項３】
前記締めひもは、前記締めひも収容要素間で、ジグザグの経路をたどり、および前記締めひもは、前記締めひもチャネルと、２つの重なっているニット層を含む複数の追加的な締めひもチャネルとを通って延びている、請求項１または請求項２に記載の履物製品。
【請求項４】
前記スロート領域は、前記アッパーの舌革すなわちベロを含み、
前記締めひもチャネルは、前記ベロに形成される、請求項１〜請求項３のいずれかに記載の履物製品。
【請求項５】
前記ニット構成要素は、前記内側部から前記スロート領域を介して前記外側部にまで延びている、請求項１〜請求項３のいずれかに記載の履物製品。
【請求項６】
インレイストランドが、前記外側側部および前記内側側部のうちの少なくとも一方を通り、前記インレイストランドは、前記締めひも収容要素のうちの少なくとも１つから、前記アッパーがソール構造に接合される領域まで延びている、請求項１に記載の履物製品。
【請求項７】
前記ニット構成要素は、前記インレイストランドの部分に沿って突出領域を形成する、請求項６に記載の履物製品。
【請求項８】
表面層が前記ニット構成要素に固定されて、前記突出領域を覆い、前記表面層は、前記アッパーの外側面の部分を形成している、請求項７に記載の履物製品。
【請求項９】
表面層が前記ニット構成要素に固定されて、前記外側側部および前記内側側部に配置された前記ニット構成要素の大部分を覆っている、請求項１に記載の履物製品。
【請求項１０】
前記ニット構成要素は、（ａ）前記着用者の足の少なくとも一部を覆うための足部分と、（ｂ）前記着用者の足首の少なくとも一部を覆うための足首部分とを含み、前記足部分は、前記足首部分よりも小さい伸縮性を有する、請求項１に記載の履物製品。
【請求項１１】
アッパーを有する履物製品であって、前記アッパーが、
前記アッパーの外側側部を少なくとも部分的に形作る外側部と、前記アッパーの内側側部を少なくとも部分的に形作る内側部と、前記外側側部と前記内側側部との間に位置し着用者の足の甲もしくは上面に対応するスロート領域とを含むニット構成要素であって、前記ニット構成要素が、前記スロート領域に、前記履物製品の長手方向軸に対して対角線上に向けて配置される複数の締めひもチャネルを画成し、前記スロート領域に、上ニット層および底ニット層の２つの重なっているニット層を含む、ニット構成要素と、
前記締めひもチャネルを通って延びている締めひもと、を含み、
前記締めひもチャネルは前記ニット構成要素の前記スロート領域の、前記上ニット層と前記底ニット層との間に埋め込まれている、履物製品。
【請求項１２】
複数の締めひも収容要素が、前記スロート領域の両端部に設けられ、前記締めひもチャネルの各々の端部が、前記締めひも収容要素のうちの１つに隣接して配置される、請求項１１に記載の履物製品。
【請求項１３】
前記複数の締めひもチャネルのそれぞれが管状構造を形成する、請求項１１または請求項１２に記載の履物製品。
【請求項１４】
前記締めひもチャネルのうちの少なくとも１つは、３センチメートル以上の長さを有する、請求項１１〜請求項１３のいずれかに記載の履物製品。
【請求項１５】
インレイストランドが、前記外側側部および前記内側側部のうちの少なくとも一方を通り、前記インレイストランドは、前記スロート領域から、前記アッパーがソール構造に接合される領域まで延びている、請求項１１〜請求項１４のいずれかに記載の履物製品。
【請求項１６】
前記インレイストランドはループを形成し、前記締めひもは、前記ループを通る、請求項１５に記載の履物製品。
【請求項１７】
前記ニット構成要素は、前記インレイストランドの部分に沿って突出領域を形成する、請求項１５に記載の履物製品。
【請求項１８】
表面層が前記ニット構成要素に固定されて前記突出領域を覆い、前記表面層が、前記アッパーの外側面から成る部分を形成する、請求項１７に記載の履物製品。
【請求項１９】
表面層が、前記ニット構成要素に固定されて、前記外側側部および内側側部に設けられた前記ニット構成要素の大部分を覆う、請求項１１〜請求項１７のいずれかに記載の履物製品。
【請求項２０】
前記ニット構成要素は、（ａ）着用者の足の少なくとも一部を覆うための足部分と、（ｂ）前記着用者の足首の少なくとも一部を覆うための足首部分とを含み、前記足部分は、前記足首部分よりも小さい伸縮性を有する、請求項１１〜請求項１９のいずれかに記載の履物製品。
【発明の詳細な説明】
【技術分野】
【０００１】
本発明はニット構成要素を組み込んだ履物製品に関するものである。
【背景技術】
【０００２】
従来の履物製品は一般に、アッパーおよびソール構造という２つの主要な要素を含んでいる。アッパーは、ソール構造に固定されて、足を快適かつ安定して受け入れるために、履物の内部に空洞を形成する。ソール構造は、アッパーと地面との間に配置されるように、アッパーの下面に固定されている。
【０００３】
例えば、いくつかの運動用の履物では、ソール構造は、ミッドソールとアウトソールとを含んでもよい。ミッドソールは、地面の反力を弱めて、歩くとき、走るとき、および他の歩行活動中に足および脚にかかる応力を低減するポリマー発泡材料によって形成される。アウトソールは、ミッドソールの下面に固定されて、耐久性のある耐摩耗性材料で形成されるソール構造の地面係止部を構成している。また、ソール構造は、履物の快適性を高めるために、空洞内に配置され、足の下面に近接する中敷きも含んでもよい。
【０００４】
アッパーは大略的に、足の甲およびつま先領域にわたり、足の内側部および外側部に沿って、足のかかと領域の周りに延びている。バスケットボール用履物およびブーツなどいくつかの履物製品では、アッパーは上方に、足首の周りに延びて、足首に支持または保護を与えてもよい。アッパーの内部の空洞へのアクセスは、一般に、履物のかかと領域にある足首開口部によって提供される。
【０００５】
アッパーの履き心地を調整するために、しばしば締めひもシステムがアッパーに組み込まれ、それによりアッパー内の空洞に足を入れ、足を抜くことが可能になる。締めひもシステムにより、着用者がアッパーの特定の寸法、特に周長を調節して、さまざまな寸法の足を収容することもできる。くわえて、アッパーは、締めひもシステムの下に延びて、履物の調節可能性を高めるベロを含んでもよく、アッパーは、かかとの動きを制限するために、ヒールカウンタを組み込んでもよい。
【０００６】
さまざまな材料が、従来よりアッパーを製造する際に利用されている。例えば、運動用の履物のアッパーは、複数の材料要素によって形成してもよい。それらの材料要素は、例えば、耐伸縮性、耐摩耗性、柔軟性、通気性、圧縮性および速乾性を含むさまざまな特性に基づいて選択することができる。アッパーの外側に関しては、つま先領域およびかかと領域は、比較的高い耐摩耗性を付与するために、革、合成皮革またはゴム材料によって形成してもよい。革、合成皮革およびゴム材料は、外側の他のさまざまな領域に対しては、所望の程度の柔軟性および通気性を呈していなくてもよい。したがって、外側の他の領域は、例えば、合成繊維によって形成してもよい。そのため、アッパーの外側は、それぞれ異なる特性をアッパーに付与する複数の材料要素によって形成される。
【０００７】
アッパーの中間または中心層は、クッション性をもたらし、および快適性を高める軽量ポリマー発泡材料によって形成してもよい。同様に、アッパーの内部は、足を直接囲んでいる領域から汗を取り除く快適で速乾性の繊維で形成してもよい。さまざまな材料要素および他の構成要素は、接着剤または縫製で接合してもよい。
【０００８】
したがって、従来のアッパーは、それぞれ異なる特性を、履物のさまざまな領域に付与するさまざまな材料要素によって形成されている。
【先行技術文献】
【特許文献】
【０００９】
【特許文献１】米国特許第６，９３１，７６２号明細書
【特許文献２】米国特許第７，３４７，０１１号明細書
【特許文献３】米国特許出願公開第２００８／０１１００４８号明細書
【特許文献４】米国特許出願公開第２０１０／０１５４２５６号明細書
【特許文献５】米国特許出願公開第２０１２０２３３８８２号明細書
【特許文献６】米国特許出願公開第２０１０／０１９９４０６号明細書
【特許文献７】米国特許出願公開第２０１２／０２４６９７３号明細書
【発明の概要】
【発明が解決しようとする課題】
【００１０】
本発明は、アッパーにニット構成要素を組み込んだ履物製品を提供することを目的とする。
【課題を解決するための手段】
【００１１】
本発明が適用される履物製品は、アッパーと、そのアッパーに固定されたソール構造とを有する。さまざまな構成において、アッパーは、着用者の足を収容するためのアッパー内の空洞から離れて外部へ延びている複数の突出領域を有するニット構成要素を含んでいる。突出領域は、（ａ）第１の管状構造、および、第１の管状構造を通って延びているインレイストランド（inlaid strand）と、（ｂ）第２の管状構造、および、第２の管状構造を横切って伸びているヤーン部分のうちの一方または両方を含んでいる。加えて、表面層をニット構成要素に固定してもよい。
【００１２】
本発明の履物製品用アッパーを製造するための方法は、ニット構成要素に隣接して、および重なり構造で表面層を配置する工程を含み、そのニット構成要素は、異なる厚さを有する領域を有している。表面層とニット構成要素は、プレスの第１の表面と第２の表面との間に位置していてもよい。第１の表面は、第１の材料を含み、第２の表面は、第２の材料を含み、第１の材料は、第２の材料よりも大きな圧縮性を有している。加えて、表面層とニット構成要素は、表面層をニット構成要素に接合するために、第１の表面と第２の表面との間で圧縮してもよい。
【００１３】
履物製品は、アッパーと、そのアッパーに固定されたソール構造とを有している。さまざまな構成において、アッパーは、足領域と足首領域とを含んでいる。足領域は、着用者の足の少なくとも一部を覆い、ニット構成要素の足部分を含んでいる。足首領域は、着用者の足首の少なくとも一部を覆い、ニット構成要素の足首部分を含んでいる。ニット構成要素の足部分および足首部分は、一体ニット構造によって形成されている。足領域は、第１の延伸率を有し、足首領域は、第２の延伸率を有し、第１の延伸率は、第２の延伸率よりも小さくなっている。
【００１４】
履物製品は、アッパーと、そのアッパーに固定されたソール構造とを有している。さまざまな構成において、アッパーは、アッパーのスロート領域を通って延びているニット構成要素を含んでいる。ニット構成要素は、スロート領域内にチャネルを画成し、そのチャネルは、一体ニット構造で形成された２つの重なるニット層を含んでいる。また、アッパーは、スロート領域の両側に配置された複数の締めひも収容要素を含み、それらの締めひも収容要素のうちの２つは、チャネルの両端部に隣接して配置されている。締めひもは、チャネルを通って延び、締めひも収容要素に係合している。
【００１５】
本発明のさまざまな側面を特徴付ける新規性の利点および特徴は、添付の請求項で具体的に指摘されている。しかし、新規性の利点および特徴をより一層理解するために、本発明に関するさまざまな構成および概念を説明および図示した以下の説明事項および添付図面を参照することができるであろう。
【図面の簡単な説明】
【００１６】
【図１】履物製品の第１の構成を示す側面立面図である。
【図２】履物製品の第１の構成を示す内側立面図である。
【図３】履物製品の第１の構成を示す平面図である。
【図４Ａ】図３の切断線４Ａによって画定される、履物製品の第１の構成を示す断面図である。
【図４Ｂ】図３の切断線４Ｂによって画定される、履物製品の第１の構成を示す断面図である。
【図４Ｃ】図３の切断線４Ｃによって画定される、履物製品の第１の構成を示す断面図である。
【図５】履物製品の第１の構成のアッパーから見たニット構成要素および表面層を示す平面図である。
【図６】ニット構成要素および表面層の分解平面図である。
【図７Ａ】図５の切断線７Ａによって画成されるニット構成要素および表面層を示す断面図である。
【図７Ｂ】図５の切断線７Ｂによって画成されるニット構成要素および表面層を示す断面図である。
【図７Ｃ】図５の切断線７Ｃによって画成されるニット構成要素および表面層を示す断面図である。
【図８Ａ】ニット構成要素および表面層の例示的な部分を示す斜視図である。
【図８Ｂ】ニット構成要素および表面層の例示的な部分を示す斜視図である。
【図９Ａ】ニット構成要素のさらなる構造を示す平面図である。
【図９Ｂ】ニット構成要素のさらなる構造を示す平面図である。
【図９Ｃ】ニット構成要素のさらなる構造を示す平面図である。
【図１０Ａ】プレスを利用してニット構成要素と表面層を付着するためのプロセスを示す斜視図である。
【図１０Ｂ】プレスを利用してニット構成要素と表面層を付着するためのプロセスを示す斜視図である。
【図１０Ｃ】プレスを利用してニット構成要素と表面層を付着するためのプロセスを示す斜視図である。
【図１０Ｄ】プレスを利用してニット構成要素と表面層を付着するためのプロセスを示す斜視図である。
【図１１Ａ】図１０Ａの切断線１１Ａによって画成される、プレスを利用するためのプロセスを示す断面図である。
【図１１Ｂ】図１０Ｂの切断線１１Ｂによって画成される、プレスを利用するためのプロセスを示す断面図である。
【図１１Ｃ】図１０Ｃの切断線１１Ｃによって画成される、プレスを利用するためのプロセスを示す断面図である。
【図１１Ｄ】図１０Ｄの切断線１１Ｄによって画成される、プレスを利用するためのプロセスを示す断面図である。
【図１２】履物製品の第２の構造を示す外側立面図である。
【図１３】履物製品の第２の構造を示す内側立面図である。
【図１４】履物製品の第２の構造を示す平面図である。
【図１５】図１４の切断線１５によって画成される、履物製品の第２の構造を示す断面図である。
【図１６】履物製品の第３の構造を示す平面図である。
【図１７】図１６の切断線１７によって画成される、履物製品の第３の構造を示す断面図である。
【図１８】履物製品の第３の構造のベロを示す平面図である。
【図１９】図１８の切断線１９によって画成されるベロを示す断面図である。
【図２０】ニット構成要素および締めひものさらなる構造を示す平面図である。
【図２１】ニット構成要素および締めひものさらなる構造を示す平面図である。
【図２２】図２１の切断線２２によって画成される断面図を示す。
【図２３】内部層を含むニット構成要素の構造を示す底部平面図である。
【図２４】図４Ａに対応し、および内部層を示す履物製品を示す断面図である。
【図２５Ａ】図５に対応し、および履物製品の第１の構造のアッパーの表面層のさらなる構造を示す平面図である。
【図２５Ｂ】図５に対応し、および履物製品の第１の構造のアッパーの表面層のさらなる構造を示す平面図である。
【発明を実施するための形態】
【００１７】
本発明は、以下の図面および説明を参照すれば、一層理解することができる。図面における構成要素は、一定の縮尺である必要はなく、その代わりに、本発明の原理を説明することに重点が置かれている。さらに、図面においては、同様の参照数字は、異なる図にわたって対応する部材を示している。
【００１８】
以下の説明および添付図面は、ニット構成要素および表面層を含むアッパーを有する履物製品を開示する。
【００１９】
履物製品は、ウォーキングやランニングに適した全体的構造を有するものとして開示されている。アッパーを含む履物に関連する概念は、例えば、バスケットボールシューズ、野球靴、クロストレーニングシューズ、サイクリングシューズ、フットボールシューズ、サッカーシューズ、短距離走用シューズ、テニスシューズおよびハイキングブーツを含むさまざまな種類の他の運動靴に適用してもよい。また、その概念を、ドレスシューズ、ローファー、サンダルおよび作業靴を含む、一般的に非運動用と考えられている履物の種類に当てはめてもよい。したがって、本願明細書に開示した概念は、幅広い種類の履物に適用される。
【００２０】
〈履物の全体構造〉
図１〜図４Ｃには、ソール構造１１０およびアッパー１２０を含む履物製品１００が図示されている。ソール構造１１０は、履物製品の下部に配置されて、その履物を支持し、アッパー１２０は、足に対して快適性としっかりした覆いをもたらしている。このように、足を履物１００内に効果的に固定するか、または足と履物１００を一体化するように、アッパー１２０の空洞にその足を配置することができる。さらに、ソール構造１１０は、アッパー１２０の下側領域に固定されて、例えば、地面の反力を弱めて（すなわち、足の衝撃を和らげて）静止摩擦力を生成し、安定性を高め、および足の動きに影響を与えるように、足と地面の間に延びている。
【００２１】
参照のために、履物１００は、３つの大略的領域、すなわち、足先領域１０１と、中足領域１０２と、かかと領域１０３とに分けてもよい。足先領域１０１は、大略的に、つま先を含む足の前方部分に対応する履物１００の部分と、中足骨と指骨を接続する関節とを含んでいる。中足領域１０２は、大略的に、アーチ領域を含む足の中間部分に対応する履物１００の部分を含んでいる。かかと領域１０３は、大略的に、かかとと踵骨を含む足の後方部分に対応する履物１００の部分を含んでいる。
【００２２】
また、履物１００は、外側部１０４および内側部１０５を含み、それらは、領域１０１〜領域１０３の各々を通って延びており、履物１００の両側に相当する。より具体的には、外側部１０４は、足の外側領域（すなわち、他方の足から離れて対向する面）に相当し、内側部１０５は、足の内側領域（すなわち、他方の足に向かって対向する面）に相当する。
【００２３】
領域１０１〜領域１０３と側部１０４，１０５は、履物１００の厳密な領域を区別することを意図するものではない。むしろ、領域１０１〜領域１０３と側部１０４，１０５は、以下の説明に役立つように、履物１００の大略的領域を表すことが意図されている。履物１００に加えて、領域１０１〜領域１０３および側部１０４，１０５もまた、ソール構造１１０、アッパー１２０およびそれらの個々の要素に適用してもよい。
【００２４】
ソール構造１１０の主要要素は、ミッドソール１１１、アウトソール１１２および中敷き１１３である。ミッドソール１１１は、アッパー１２０の下面に固定されており、ウォーキング、ランニングまたは他の歩行活動中に、足と地面の間で圧縮されると、地面の反力を弱める（すなわち、クッション性をもたらす）圧縮性ポリマー発泡体要素（例えば、ポリウレタンまたはエチルビニルアセテート発泡体）によって形成してもよい。さらなる構成では、ミッドソール１１１は、さらに力を弱め、安定性を高め、足の動きに影響を与えるプレート、モデレータ、液体充填チャンバ、ラスティング要素またはモーションコントロール部材を組み込んでもよく、または、ミッドソール２１は、主に液体充填チャンバによって形成してもよい。
【００２５】
アウトソール１１２は、ミッドソール１１１の下面に固定され、静止摩擦力を付与するように織られた耐摩耗性のゴム材料によって形成してもよい。中敷き１１３は、履物１００の快適性を高めるために、アッパー１２０の空洞に設けられて、足の下面の下に広がるように配置されている。
【００２６】
ソール構造１１０の場合のこの構造は、アッパー１２０とともに用いることができるソール構造の実施例を提供しているが、ソール構造１１０のためのさまざまな他の従来の構造または従来にない構造を用いてもよい。したがって、ソール構造１１０、または、アッパー１２０とともに用いられる何らかのソール構造の形状構成は、大幅に変わってもよい。
【００２７】
アッパー１２０は、外側面１２１および反対側の内側面１２２を含んでいる。外側面１２１は、履物１００から離れて外側に向いているのに対して、内側面１２２は、内側に向いて、足を収容するための履物１００内の空洞の大部分または相当の部分を画成している。その空洞は、足を収容するような形状に形成されている。そのため、足がその空洞内に配置されると、アッパー１２０は、足の外側部に沿って、足の内側部に沿って、足を覆って、かかとの周りに、および足の下に及ぶ。さらに、内側面１２１は、足、または、足を覆う靴下に押し付けてもよい。
【００２８】
また、アッパー１２０は、主にかかと領域１０３内に位置して、空洞へのアクセスを足にもたらす開口部を形成しているカラー１２３も含んでいる。より具体的には、足は、カラー１２３によって形成された開口部を介してアッパー１２０内に挿入することができ、また、足は、カラー１２３によって形成された開口部を介してアッパー１２０から引き抜くことができる。
【００２９】
アッパー１２０のスロート領域１２４は、カラー１２３の前方で、主に中足領域１０２内に位置している。スロート領域１２４の範囲は変えてもよいが、スロート領域１２４は、足の甲または上面に対応し、締めひも１２５と、複数の締めひも収容要素１２６と、ベロ１２７とを含んでいる。締めひも１２５は、いくつかの締めひも収容要素１２６に係合して、締めひも収容要素１２６間でジグザグの経路を辿っている。さらに、締めひも１２５は、スロート領域１２４の両側間で、スロート領域１２４を何度も横切っている。
【００３０】
履物１００を用いた場合、締めひも１２５は、着用者が、足のサイズに合わせてアッパー１２０の寸法を変更することを可能にする。より具体的には、締めひも１２５は、着用者が、（ａ）アッパー１２０を足の周りに締め付けること、および（ｂ）アッパー１２０を緩めて、（カラー１２３によって形成された開口部を介した）アッパー１２０内の空洞への足の挿入および空洞からの足の抜き出しを容易にすることを可能にするような従来の方法で扱うことができる。締めひも収容要素１２６は、アッパー１２０の開口として図示されており、締めひも１２５がそれらの開口を通っており、締めひも収容要素１２６は、ループ、アイレット、フックまたはＤ字状リングであってもよい。
【００３１】
アッパー１２０の大部分は、ニット構成要素１３０および表面層１４０から形成されており、それらは、図５および図６における履物１００の残りの部分とは別に図示されている。ニット構成要素１３０は、横編みプロセスによって製造してもよく、領域１０１〜領域１０３の各々にわたって、外側部１０４および内側部１０５の両方に沿って、足先領域１０１を覆って、およびかかと領域１０３の周りに及んでいる。ニット構成要素１３０の部分は、外側面１２１を形成しているが、ニット構成要素１３０は、内側面１２２の大部分または比較的多くの部分を形成し、それによって、アッパー１２０内の空洞の一部を画成している。いくつかの構造では、ニット構成要素１３０は、足の下に及んでいてもよい。
【００３２】
さまざまな図における実施例のために、ストローベル式中敷き１２８がニット構成要素１３０に固定されて、足の下に広がっているアッパー１２０の部分の大部分を形成している。この構造では、中敷き１１３は、ストローベル式中敷き１２８の上に広がって、足がその上に載る面を形成している。くわえて、図３および図４Ｃに図示されているように、ニット構成要素１３０の縁部を接合するために、縫い目１２９がかかと領域１０３を通って垂直方向に延びている。
【００３３】
表面層１４０は、ニット構成要素１３０に隣接して位置し、ニット構成要素１３０の外側に固定され、それによって、外側面１２１の大部分または比較的多くの部分を形成している。表面層１４０を形成するのに、ポリマーシート、革または合成皮革から成る要素、織布または不織布、または金属箔を含むさまざまな材料を用いてもよい。
【００３４】
ニット構成要素１３０と同様に、表面層１４０は、領域１０１〜領域１０３の各々を通って、外側部１０４および内側部１０５の両方に沿って、足先領域１０１を覆って、およびかかと領域１０３の周りに及んでいる。表面層１４０は、スロート領域１２４（例えば、ベロ１２７）から成る部分および内側面１２２がないように図示されている。履物１００のさらなる構造では、表面層１４０は、アッパー１２０の他の領域がなくてもよく、または、スロート領域１２４の部分を覆って、内側面１２２内まで及んでいてもよい。
【００３５】
ニット構成要素１３０と表面層１４０の組合せは、さまざまな利点を履物１００にもたらす。実施例として、ニット構成要素１３０および表面層１４０は、ウォーキング、ランニングおよびその他の歩行活動中に、履物１００内の足を固定する、比較的きつい、手袋のようなフィット感をアッパー１２０に付与する。例えば、サッカーシューズとして作られた場合、その比較的きつい、手袋のようなフィット感は、着用者に、ボールの感触およびボールコントロール性を高める。また、表面層１４０は、アッパー１２０の領域を補強するのに利用することもできる。例えば、表面層１４０は、ニット構成要素１３０の伸縮性を抑えるとともに、アッパー１２０の耐摩耗性または磨耗耐久性を高めることができる。
【００３６】
また、表面層１４０は、履物１００に耐摩耗性を付与することも可能である。くわえて、この構造で履物１００を形成することは、比較的軽い重量または質量、足のためのサポート、均一なフィット感および足の形状に対する適合性、および着用者のための快適性を高めた比較的縫い目のない内部をもたらすことができる。
【００３７】
上記の説明は、アッパー１２０のさまざまな特徴および要素を示している。しかし、履物１００のさらなる構造では、（ａ）安定性を高めるためのかかと領域１０３内のヒールカウンタ、（ｂ）耐摩耗性材料で形成されている足先領域１０１内のつま先ガード、および（ｃ）ロゴ、商標、および注意書きや材料情報が記載された札のうちの１つ以上を含んでもよい。したがって、アッパー１２０は、本願明細書で説明した、および図面に図示されている形状構成および要素に加えて、さまざまな他の形状構成および要素を組み込んでもよい。
【００３８】
〈ニット構成要素の構造〉
ニット構成要素１３０は、アッパー１２０全体に及んでおり、内側面１２２の大部分を構成し、それによって、アッパー１２０内の空洞の一部を画成している。ニット構成要素１３０には縫い目が存在していてもよいが、ニット構成要素１３０の大部分は、実質的に縫い目のない構造を有している。さらに、ニット構成要素１３０は、一体ニット構造で形成してもよい。
【００３９】
ニット構成要素（例えば、ニット構成要素１３０）は、本願明細書において用いる場合、編みプロセスによってワンピース要素として形成された場合の「一体ニット構造」で形成されるものと定義される。すなわち、その編みプロセスは、かなりの追加的な製造工程または製造プロセスを要することなく、ニット構成要素１３０のさまざまな機能および構造を実質的に生じさせる。ニット構成要素１３０の部分は、編みプロセスに続いて、互いに接合することができるが（例えば、ニット構成要素１３０の縁部が、縫い目１２９として一緒に接合される）、ニット構成要素１３０は、ワンピースニット要素として形成されているため、依然として一体ニット構造で形成されたままである。
【００４０】
さらに、ニット構成要素１３０は、編みプロセスに続いて、他の要素（例えば、締めひも１２５、ストローベル式中敷き１２８、ロゴ、商標、札）が付加された場合も、依然として一体ニット構造で形成されたままである。ニット構成要素１３０に用いることができるニット構成要素のさまざまな構造の実施例は、Ｄｕａに対する特許文献１、Ｄｕａらに対する特許文献２、Ｄｕａらに対する特許文献３、Ｄｕａに対する特許文献４、およびＨｕｆｆａらに対する特許文献５に開示されており、これらの明細書の各々は、参照によってその全体が本願明細書に組み込まれるものとする。
【００４１】
ニット構成要素１３０の主要な要素は、ニット要素１３１とインレイストランド（inlaid strand）１３２である。ニット要素１３１は、さまざまなコースおよびウェールを画成する複数の互いにかみ合うループを形成するように（例えば、編み機によって）操作される少なくとも１本のヤーン（yarn）から形成されている。すなわち、ニット要素１３１は、ニット布地から成る構造を有している。インレイストランド１３２は、ニット要素１３１を通って延びており、ニット要素１３１内のさまざまなループの間を通っている。
【００４２】
インレイストランド１３２は、ニット要素１３１内のコースに沿って大略的に延びているが、インレイストランド１３２は、ニット要素１３１内のウェールに沿って延びていてもよい。インレイストランド１３２の利点は、サポート、安定性および構造を提供することを含む。例えば、インレイストランド１３２は、アッパー１２０を足の周りに固定するのを補助し、アッパー１２０の領域における変形を制限し（例えば、耐伸縮性を付与し）、および締めひも１２５とともに機能して、履物１００のフィット感を高めている。先述され、および本願明細書に組み込まれている、Ｈｕｆｆａらに対する特許文献５は、ニット要素１３１内にインレイストランド１３２を配置するか、または他の方法で設けるプロセスを含む、ニット構成要素１３０を形成することができる方法の説明を記載している。
【００４３】
ニット要素１３１は、縫製およびヤーンのさまざまな種類および組合せを組み込んでもよい。縫製に関しては、ニット要素１３１を形成するヤーンは、ニット要素１３１の１つの領域に１つの種類の縫製と、ニット要素１３１の別の領域に別の種類の縫製を有していてもよい。用いる縫製の種類および組合せにより、ニット要素１３１から成る領域は、例えば、無地のニット構造、メッシュニット構造または畝編み構造を有してもよい。異なる種類の縫製は、ニット要素１３１の美観、伸縮性、厚さ、通気性および耐摩耗性に影響を及ぼすことがある。すなわち、異なる種類の縫製は、ニット構成要素１３０の異なる領域に異なる特性を付与することがある。
【００４４】
ヤーンに関しては、ニット要素１３１は、ニット要素１３１の１つの領域に１つの種類のヤーンと、ニット要素１３１の別の領域に別の種類のヤーンを有していてもよい。さまざまなデザイン基準により、ニット要素１３１は、例えば、異なるデニール、材料（例えば、綿、エラステイン、ポリエステル、レーヨン、ウールおよびナイロン）および撚りの程度を有するヤーンを組み込んでもよい。異なる種類のヤーンは、ニット要素１３１の美観、伸縮性、厚さ、通気性および耐摩耗性を含むニット要素１３１の物理特性に影響を及ぼすことがある。すなわち、異なる種類のヤーンは、ニット構成要素１３０の異なる領域に異なる特性を付与することがある。さまざまな種類および組合せの縫製およびヤーンを組合せることにより、ニット要素１３１から成る各領域は、履物１００の快適性、耐久性および性能を高める固有の特性を有することができる。いくつかの構造では、ニット構成要素１３０を形成するために、異なる色を有する複数のヤーンを用いてもよい。異なる色を有するヤーンをまとめて撚って編んだ場合、ニット構成要素１３０は、複数の色がアッパー１２０全体に不規則に分散された杢色の外観を有することができる。
【００４５】
ニット要素１３１内の１つ以上のヤーンは、加熱したときに柔らかくなるか、または溶けて、冷却すると固体状態に戻る熱可塑性ポリマー材料によって部分的に形成してもよい。より具体的には、熱可塑性ポリマー材料は、十分な熱にさらされた場合、固体状態から軟化状態または液体状態に移行し、その後、熱可塑性ポリマー材料は、十分に冷却されると、軟化状態または液体状態から固体状態に移行する。このように、熱可塑性ポリマー材料は、多くの場合、２つの対象物または要素を一緒に接合するのに用いられる。この場合、熱可塑性ポリマー材料を含むヤーンは、例えば、（ａ）そのヤーンの他の部分にヤーンを、（ｂ）他のヤーンにそのヤーンを、（ｃ）ヤーンをインレイストランド１３２に、または、（ｄ）ニット構成要素１３０を表面層１４０に接合するのに用いることができる。
【００４６】
インレイストランド１３２は、上述したように、ニット要素１３１を通って延びて、ニット要素１３１内のさまざまなループ間を通っている。より具体的には、インレイストランド１３２は、ニット要素１３１のニット構造内に設けられている。
【００４７】
例えば、図７Ａおよび図７Ｂを参照すると、ニット要素１３１は、チャネルまたは管状構造を有効に画成する２つの独立して離間された布地層を形成し、また、インレイストランド１３２は、それらの離間された布地層の間に配置されている。しかし、いくつかの構造では、ニット要素１３１は、インレイストランド１３２から成る領域に、単一の布地層から成る構造を有していてもよい。どちらの構造でも、インレイストランド１３２は、ニット要素１３１内で、ニット要素１３１の両面の間に配置されている。インレイストランド１３２は、主にニット要素１３１内にあるが、インレイストランド１３２から成る部分は、可視であってもよく、または、ニット要素１３１の一方または両方の面に露出していてもよい。
【００４８】
ニット構成要素１３０を履物１００に組み込んだ場合、インレイストランド１３２は、大略的に垂直方向に、およびスロート領域１２４から、ソール構造１１０がアッパー１２０に固定される領域まで延びている。より具体的には、インレイストランドは、スロート領域１２４から、ソール構造１１０に隣接する領域までニット要素１３１を何度も通っている。スロート領域１２４では、インレイストランドは、締めひも収容要素１２６の周りに延びて、それによって、締めひも１２５がそこを通るループを形成してもよい。
【００４９】
ニット要素１３１と比較して、インレイストランド１３２は、より大きな耐伸縮性を呈していてもよい。すなわち、インレイストランド１３２は、ニット要素１３１よりも伸縮性が小さくてもよい。インレイストランド１３２から成る多くの部分が、スロート領域１２４からソール構造１１０に向かって延びていれば、インレイストランド１３２は、アッパー１２０のこの領域に耐伸縮性を付与する。さらに、締めひも１２５に張力をかけると、インレイストランド１３２に張力を付与することができ、それによって、アッパー１２０から成る部分をスロート領域１２４とソール構造１１０との間に誘導して、足に押し付けてもよい。このように、インレイストランド１３２は、アッパー１２０を足の周りに固定するのを補助して履物１００のフィット感を高めるように、締めひも１２２とともに機能する。
【００５０】
インレイストランド１３２の構造は、大幅に変えてもよい。ヤーンに加えて、インレイストランド１３２は、例えば、フィラメント（例えば、単繊維）、スレッド、ロープ、帯、ケーブルまたは鎖から成る構造を有してもよい。ニット要素１３１を形成するヤーンと比較して、インレイストランド１３２の厚さは、より大きくもよい。いくつかの構造では、インレイストランド１３２は、ニット要素１３１のヤーンよりも著しく大きな厚さを有してもよい。
【００５１】
さらに、インレイストランド１３２を形成する材料は、綿、エラステイン、ポリエステル、レーヨン、ウールおよびナイロン等のニット要素１３１内のヤーンのための材料のうちのいずれかを含んでもよいが、金属と、ガラス、アラミド（例えば、パラアラミドおよびメタアラミド）、超高分子量ポリエチレンおよび液晶ポリマーを含む、高引張強度用途に利用されるさまざまなエンジニアリングフィラメントとを含んでもよい。別の実施例として、ポリエステル製組糸をインレイストランド１３２として用いてもよい。
【００５２】
ニット構成要素１３０と表面層１４０の組合せは、さまざまな利点を履物１００にもたらす。しかし、いくつかの構造では、表面層１４０が履物１００になくてもよい。すなわち、ニット構成要素１３０は、個別に用いてアッパー１２０の部分を形成してもよく、また、ニット構成要素１３０は、面１２１および１２２の各々の比較的多くの部分の大部分を形成してもよい。さらに、表面層１４０がない場合の突出領域１３３の存在は、追加的な厚さまたはロフトをアッパー１２０に付与することができるとともに、アッパー１２０の伸縮性を変えることもできる。したがって、ニット構成要素１３０は、表面層１４０と組合せて説明したが、単独で用いてもよい。
【００５３】
〈表面層の構造〉
表面層１４０は、ニット構成要素１３０に隣接し、外側面１２１の一部を形成するようにニット構成要素１３０に固定されている。上述したように、表面層１４０は、ポリマーシート、革または合成皮革から成る要素、織布または不織布、または金属箔によって形成することができる。表面層１４０は、ポリマーシートまたは高分子層として形成される場合、まず、例えば、高分子フィルム、ポリマー粉末またはポリマー樹脂としてもよい。これらの構造のいずれかの場合、ポリウレタン、ポリエステル、ポリエステルポリウレタン、ポリエーテルポリウレタンおよびナイロンを含むさまざまな高分子材料を表面層１４０に用いることができる。ニット構成要素１３０に接合することができる熱可塑性ポリマーフィラメントを用いた不織布の実施例は、Ｄｕａらに対する特許文献６に開示されており、その明細書は、参照によって本願明細書に組み込まれるものとする。さらに、表面層１４０に関連する追加的な考察は、Ｄｕａに対する特許文献７で見つけることができ、その明細書は、参照によって本願明細書に組み込まれるものとする。
【００５４】
表面層１４０は、熱硬化性高分子材料によって形成してもよいが、表面層１４０の多くの構造は、熱可塑性高分子材料（例えば、熱可塑性ポリウレタン）によって形成される。一般的に、熱可塑性高分子材料は、加熱されると、柔らかくなるか、または溶けて、冷却されると、固体状態に戻る。より具体的には、熱可塑性高分子材料は、十分な熱にさらされると、固体状態から軟化状態または液体状態に移行し、その後、十分に冷却されると、熱可塑性高分子材料は、軟化状態または液体状態から固体状態に移行する。このように、熱可塑性高分子材料は、複数のサイクルを介して、溶解、成型、冷却、再溶融、再成型、および再冷却することができる。また、熱可塑性高分子材料は、ニット構成要素１３０等の繊維要素に熱接合または熱結合してもよい。
【００５５】
履物１００の多くの構造では、表面層１４０から成る単一の要素がニット構成要素１３０全体にわたって固定されて、ニット構成要素１３０の実質的にすべてを覆っている。しかし、さらなる構造では、表面層１４０から成る異なる要素を、異なる材料から形成して、ニット構成要素１３０から成る別々の領域に配置してもよい。すなわち、１つの材料から形成された表面層１４０の部分を、ニット構成要素１３０の１つの領域に接合してよく、および別の材料から形成された表面層１４０の別の部分を、ニット構成要素１３０の異なる領域に接合してもよい。表面層１４０を形成する材料を変えることにより、異なる特性を、アッパー１２０の異なる領域に適用させることができる。他の構成では、表面層１４０は、ニット構成要素１３０の特定の領域のみを覆って、それによって、ニット構成要素１３０の他の領域を露出させたままにしてもよい。そのため、表面層１４０は、ニット構成要素１３０のいくつかの領域にはなくてもよい。
【００５６】
表面層１４０は、ニット構成要素１３０の外側に配置されるものとして上述した。しかし、いくつかの構造では、表面層１４０は、ニット構成要素１３０の反対側の面と接合して、それによって、内側面１２２から成る部分を形成してもよい。他の構成では、２つの表面層１４０を、ニット構成要素１３０の両面に接合してもよく、または、表面層１４０は、ニット構成要素１３０内に組み込むか、または別の方法でニット構成要素内まで延びていてもよい。
【００５７】
〈突出領域〉
ニット構成要素１３０は、アッパー１２０内の空洞から離れて外側に延びている複数の突出領域１３３を含んでいる。突出領域１３３は、膨らみ、突出部、隆起部、または他の外側に延びている部分をニット構成要素１３０に形成している。
【００５８】
インレイストランド１３２の場合と同様に、突出領域１３３のほとんどは、スロート領域１２４から、ソール構造１１０がアッパー１２０に固定されている領域まで、概して垂直方向に延びている。突出領域１３３のいくつかは、インレイストランド１３２と一致しており、およびそのインレイストランドを含んでいる。くわえて、突出領域１３３のいくつかは、２つの他の突出領域１３３の間で、概して水平方向に延びている。すなわち、水平方向の突出領域１３３は、２つの垂直方向の突出領域１３３の間に延び、および実用的には、それらの２つの領域に接合されている。突出領域１３３は、独特の美観を履物１００にもたらすことにくわえて、アッパー１２０の強度を高めることができ、または、さまざまな異なる特性をアッパー１２０に付与することができる。
【００５９】
表面層１４０は、突出領域１３３を覆って延びており、また、突出領域１３３およびニット構成要素１３０の他の領域に固定されていてもよい。このように、表面層１４０は、対応する膨らみ、突出部、隆起部、または、他の外側に延びている部分を、例えば、図７Ａおよび図７Ｃに図示されているように、突出領域１３３の位置に、および外側面１２１に形成している。この構造の利点は、履物１００の摩擦特性を、突出領域１３３がアッパー１２０内に形成する特定のパターンによって制御することができるということである。
【００６０】
実施例として、突出領域１３３と表面層１４０の組合せは、サッカーというスポーツをしているときのボールのコントロールを高めることができる。すなわち、サッカーのプレーヤーは、突出領域１３３によって形成されているアッパー１２０の隆起した、または外側に延びている部分によって、サッカーボールのコントロールを高めることができる。
【００６１】
突出領域１３３は、さまざまな構造を有するように形成することができる。すなわち、複数のニット構造および編み方を用いて、突出領域１３３を形成することができる。
【００６２】
実施例として、図８Ａおよび図８Ｂの各々は、突出領域１３３のための２つの異なる構造を有するアッパー１２０の例示的な部分を図示している。より具体的には、第１の突出領域１３３は、第１の管状構造１３４と、インレイストランド１３２から成る部分とを含み、また、第２の突出領域１３３は、第２の管状構造１３５と、複数のヤーン部分１３６とを含んでいる。これらの構造の各々を、以下でより詳細に説明する。
【００６３】
第１の管状構造１３４は、２つの独立して離間された繊維層１３７を有するニット構成要素１３１から成る領域である。第１の管状構造１３４の縁部領域は、接合されて一体ニット構造で形成されているのに対して、中央領域は、接合されておらず、インレイストランド１３２がその中に配置されているチャネルを形成している。第１の管状構造１３４は、突出領域１３３のうちの１つを単独で形成するのに十分であるが、インレイストランド１３２の存在が、追加的な厚みをもたらしている。インレイストランド１３２は、第１の管状構造１３４を通って長手方向に延びており、それによって、第１の管状構造１３４の長さに沿って延びている。
【００６４】
第２の管状構造１３５は、２つの別々の、離間された繊維層１３８を有するニット構成要素１３１から成る領域であり、それによって、第１の管状構造１３４と同様の構造を有している。第２の管状構造１３５の縁部領域は接合されて、一体ニット構造で形成されているのに対して、中央領域は接合されておらず、複数のヤーン部分１３６が配置されているチャネルを形成している。第２の管状構造１３５は、単独で突出領域１３３のうちの１つを形成するのに十分であるが、ヤーン部分１３６の存在が、追加的な厚みをもたらしている。
【００６５】
ヤーン部分１３６は、第２の管状構造１３５の外側を横切って延びており、それによって、第２の管状構造１３５の長手方向の長さに沿ってではなく、第２の管状構造１３５の幅を横切って延びている。ヤーン部分１３６が固定される方法は変えてもよいが、ヤーン部分１３６は、図７Ａ、図７Ｃ、図８Ａおよび図８Ｂにおいて、互いに横切っているように図示されており、および第２の管状構造１３５の両側で引き上げ編みを形成していてもよい。すなわち、引き上げ編みは、ヤーン部分１３６と、第２の管状構造１３５の両側とを接合してもよい。
【００６６】
図８Ｂの切り欠き領域に図示されているように、突出領域１３３のうちの１つ（すなわち、水平方向の突出領域１３３）は、追加的なヤーン部分１３６を含み、および管状構造１３４と管状構造１３５との間に延び、および実用的にはその間で接合し、それによって、第１の管状構造１３４から第２の管状構造１３５まで延びている。ヤーン部分１３６は、第２の管状構造１３５の幅方向に延びて互いに交差してもよいが、ヤーン部分１３６は、その他のさまざまな構造を有してもよい。実施例として、ヤーン部分１３６は、互いに交差せずに、平面内に位置してもよく、または、ヤーン部分１３６は、長手方向に、第２の管状構造１３５の長さに沿って延びていてもよい。
【００６７】
上述したように、突出領域１３３は、膨らみ、突出部、隆起部、または他の外側に延びている部分をニット構成要素１３０に形成している。このように、突出領域１３３は、ニット構成要素１３０の他の領域よりも大きな厚さを有するニット構成要素１３０の部分である。この構造では、ニット構成要素１３０の大部分または比較的多くの部分は、第１の厚さを有し、また、さまざまな突出領域１３３は、第２の厚さを有し、第１の厚さは第２の厚さよりも小さい。
【００６８】
ニット構成要素１３０を形成するのに用いられるニット構造および編み方と、ニット構成要素１３０に用いられるヤーンとにより、第１の厚さと第２の厚さの違いは、１〜１０ミリメートル以上の範囲で変えてもよい。多くの構造では、第１の厚さは、４ミリメートル未満であり、第２の厚さは、第１の厚さよりも少なくとも２ミリメートル以上大きい。
【００６９】
突出領域１３３がアッパー１２０に形成している特定のパターンは、かなり変わってもよい。例えば、図１および図２を参照すると、突出領域１３３は、外側部１０４および内側部１０５の大部分を通って延びているが、足先領域１０１の前方部分と、かかと領域１０３の後方部分にはない。しかし、突出領域１３３の配置および構造は、大幅に変えてもよい。
【００７０】
実施例として、図９Ａは、さまざまな突出領域１３３間の間隔が、ニット構成要素１３０全体にわたって変わっている構造を示す。さらに、他の突出領域１３３間に延び、およびそれらの他の突出領域に接続している突出領域１３３がいくつかの領域に存在しているが、その他の領域にはない。突出領域１３３は、足先領域１０１に対応するニット構成要素１３０の領域内には存在しているが、突出領域１３３は、かかと領域１０３に対応する領域にはない。この構造では、ニット構成要素１３１は、スロート領域１２４に対応する領域を横切って延び、それによって、ベロ１２７の代わりになっている。
【００７１】
図９Ｂは、突出領域１３３がニット構成要素１３０の全体にわたって存在している別の構造を示す。別の構造が図９Ｃに図示されており、この場合、突出領域１３３は、インレイストランド１３２に相当するように配置されているが、他の領域にはない。くわえて、図９Ａ〜図９Ｃに図示されている構造の各々では、インレイストランド１３２から成る部分は、締めひも１２５を受け入れるループを形成するように露出されている。したがって、ニット構成要素１３０および突出領域１３３に関するさまざまな態様は、かなり変わってもよい。
【００７２】
〈接合プロセス〉
ニット構成要素１３０と表面層１４０を接合するのに、さまざまなプロセスを用いることができる。いくつかの構造では、表面層１４０は、熱可塑性高分子材料によって形成してもよく、その表面層は、ニット構成要素１３０に熱接合または熱結合することができる。上述したように、熱可塑性高分子材料は、加熱されると溶けて、十分に冷却されると、固体状態に戻る。熱可塑性高分子材料のこの特性に基づいて、熱結合プロセスを、表面層１４０から成る部分をニット構成要素１３０に接合する熱結合を構成するのに用いてもよい。
【００７３】
「熱結合」またはその変形は、本願明細書において用いる場合、冷却した場合に、２つの要素の材料が互いに固定されるように、それらの要素のうちの少なくとも一方の中での熱可塑性高分子材料の軟化または溶融を伴うそれら２つの要素の間の固定方法として定義される。同様に、「熱接合」という用語、またはその変形は、接合、結び付き、または、冷却された場合に、それらの要素の材料が互いに固定されるように、それらの要素のうちの少なくとも一方の中での熱可塑性高分子材料の軟化または溶融を伴うプロセスによって、２つの要素を接合する構造として定義される。
【００７４】
実施例として、熱結合は、（ａ）冷却された場合に、熱可塑性高分子材料がニット構成要素１３０の材料と混ざって、一緒に固定されるような表面層１４０の溶融または軟化と、（ｂ）冷却された場合に、熱可塑性高分子材料が、ニット構成要素１３０の構造内に延びるか、または浸入して（例えば、ニット構成要素１３０のフィラメントまたは繊維の周りに延びるか、またはそれらのフィラメントまたは繊維に接合する）、それらの要素を一緒に固定するような表面層１４０の溶融または軟化を伴ってもよい。くわえて、熱結合は、一般に、縫製または接着剤の使用を伴わないが、それらの要素を熱を用いて互いに直接的に接合することを伴う。しかし、いくつかの状況では、熱結合によるそれらの要素の熱接合または接合を補完するために、縫製または接着剤を利用してもよい。
【００７５】
接合プロセスは、図１０Ａおよび図１１Ａに図示されているように、第１のプレス部１５１と第２のプレス部１５２とを含むプレス１５０を用いる。プレス部１５１および１５２の各々は、ニット構成要素１３０と表面層１４０を一緒に圧縮する対向面を有している。プレス部１５１および１５２の表面は、実質的に平坦であり、異なる圧縮性を有する材料を含んでいる。
【００７６】
より具体的には、第１のプレス部１５１は、第１の材料１５３を含み、第２のプレス部１５２は、第２の材料１５４を含んでいる。比較すると、第１の材料１５３は、第２の材料１５４よりも大きい圧縮性を有している。適切な材料の例として、（ａ）第１の材料１５３はシリコーンであってもよく、および第２の材料１５４は鋼鉄であってもよく、（ｂ）材料１５３および１５４はともにシリコーンであってもよく、第１の材料１５３は、第２の材料１５４よりも大きな厚さを有し、または、（ｃ）材料１５３および１５４はともに、シリコーンであってもよく、第１の材料１５３は、第２の材料１５４よりも小さい密度または硬さを有している。エチルビニルアセテートおよびゴム等のさまざまなポリマーおよび発泡体を含む、その他のさまざまな材料を用いてもよい。しかし、シリコーンの利点は、圧縮歪みに関連している。より具体的には、シリコーンは、圧痕または他の表面むらを形成することなく、多くの圧縮作業を実行することができる。
【００７７】
次に、ニット構成要素１３０と表面層１４０を結合するか、または他の方法で接合するためのプロセスを説明する。その結合プロセスに関連する詳細を説明するために、図８Ａおよび図８Ｂに図示されているニット構成要素１３０と表面層１４０とから成る例示的な部分を、図１０Ａ〜図１０Ｄおよび図１１Ａ〜図１１Ｄで利用する。しかし、当業者は、本願明細書で説明され、および図面に図示されている概念を、ニット構成要素１３０および表面層１４０の全体に適用してもよいことを認識するであろう。
【００７８】
再び図１０Ａおよび図１１Ａを参照すると、表面層１４０は、重なった構造でニット構成要素１３０に隣接して配置されている。表面層１４０は、第１のプレス部１５１に隣接して位置しているのに対して、ニット構成要素１３０は、第２のプレス部１５２に隣接して位置している。より具体的には、表面層１４０は、第１の材料１５３（すなわち、より大きな圧縮性の材料）に接触するように配置され、ニット構成要素１３０は、第２の材料（すなわち、より小さな圧縮性の材料）に接触するように配置されている。ニット構成要素１３０および表面層１４０を正しく配置するために、（ａ）これらの構成要素を互いに対して保持するジグ、および（ｂ）これらの構成要素を動かすシャトルフレームまたは他の装置の一方または両方を利用してもよい。くわえて、ジグまたは他の装置は、結合プロセス中に、ニット構成要素１３０が正しい形状を保持して、概して平坦な構造を確実に維持することを支援することができる。
【００７９】
プレス１５０は、ニット構成要素１３０と表面層１４０を一緒に圧縮するのに用いられる。しかし、ニット構成要素１３０および表面層１４０を結合するために、ニット構成要素１３０および表面層１４０の一方または両方は、結合を容易にする温度まで加熱される。プレス部１５１とプレス部１５２との間に配置される前に、ニット構成要素１３０および表面層１４０を加熱するために、さまざまな輻射ヒータまたは他の装置を用いることができる。しかし、いくつかの製造プロセスでは、プレス１５０は、プレス１５０と、ニット構成要素１３０および表面層１４０との間の接触が、それらの構成要素の温度を、結合を容易にするレベルまで上昇させるように加熱してもよい。したがって、ニット構成要素１３０および表面層１４０の一方または両方が、このプロセス中に加熱される時点は変えてもよい。
【００８０】
ニット構成要素１３０および表面層１４０が、一旦、配置されると、図１０Ｂおよび図１１Ｂに図示されているように、プレス部１５１および１５２は、互いに平行移動して、（ａ）第１の材料１５３を有する第１のプレス部１５１の表面が、表面層１４０に接触し始めるように、および（ｂ）第２の材料１５４を有する第２のプレス部１５２の表面が、ニット構成要素１３０に接触し始めるように、それらの構成要素を近づける。
【００８１】
そして、プレス部１５１および１５２は、図１０Ｃおよび図１１Ｃに図示されているように、互いに向かってさらに平行移動して、それらの構成要素を完全に圧縮する。この段階で、表面層１４０は、ニット構成要素１３０に有効に結合され、または他の方法で接合される。より具体的には、プレス１５０の圧縮力は、それらの圧縮された構成要素の温度上昇と相まって、ニット構成要素１３０と表面層１４０を接合する熱結合を生じさせる。
【００８２】
上述したように、第１の材料１５３は、第２の材料１５４よりも容易に圧縮される。図１０Ｃおよび図１１Ｃを参照すると、突出領域１３３に隣接している表面層１４０から成る領域は、第１の材料１５３内に圧入され、それに対して、第２の材料１５４は、より平坦なままであるが、ある程度圧縮される。材料１５３および１５４間の異なる圧縮性により、第１の材料１５３は突出領域１３３の位置で圧縮される。さらに、（ａ）ニット構成要素１３０の突出領域１３３に接触している表面層１４０の部分は、第１の材料１５３によって形成された表面に第１の深さまで突出し、また、（ｂ）ニット構成要素１３０の他の領域（すなわち、より厚さが小さい領域）と接触している表面層１４０の部分は、第１の材料１５３によって形成された表面に第２の深さまで突出し、第１の深さは、第２の深さよりも大きい。
【００８３】
結合が完了すると、図１０Ｄおよび図１１Ｄに図示されているように、プレス１５０が開いて、結合されたそれらの構成要素が取り外されて冷却できるようになる。このプロセスの最後の工程として、ニット構成要素１３０および表面層１４０の組合せを、履物１００のアッパー１２０に組み込んでもよい。
【００８４】
プレス１５０の表面間に異なる圧縮性を与えるために、材料１５３および１５４間の相対的な硬さ、密度および厚さは、かなり変えてもよい。硬さ、密度および厚さを変えることにより、それらの表面の圧縮性を、特定のプレス作業または構造に合わせてもよい。硬さ、密度および厚さをそれぞれ考慮してもよいが、プレス１５０のいくつかの構造は、硬さが異なるだけの、密度が異なるだけの、または、厚さが異なるだけの材料１５３および１５４を有してもよい。
【００８５】
くわえて、プレス１５０のいくつかの構造は、（ａ）硬さと密度は同じであるが、厚さが異なる、（ｂ）硬さと厚さは同じであるが、密度が異なる、または、（ｃ）密度と厚さは同じであるが、硬さが異なる、材料１５３および１５４を有してもよい。したがって、プレス１５０の表面間で、異なる相対的圧縮性を実現するために、材料１５３および１５４のさまざまな特性を、さまざまな方法で変更してもよい。
【００８６】
材料１５３および１５４の各々は、実質的に平坦な表面を有するように図示されている。しかし、ニット構成要素１３０およびさまざまな突出領域１３３から成る構造により、材料１５３および１５４の表面もそれに合うように形成することができる。例えば、第１の材料１５３は、突出領域１３３の位置に一致するさまざまなくぼみまたは圧痕を含んで、それによって、表面層１４０が突出領域１３３の周りを覆う程度を大きくしてもよい。
【００８７】
プレス１５０は、ニット構成要素１３０と表面層１４０を結合するのに用いることができる装置の一実施例を示している。別の実施例として、プレス部１５１および１５２のうちの一方を、柔軟な膜と置き換えて、その膜と第２のプレス部１５２との間から空気を抜くのにポンプを用いてもよい。空気が抜かれるにつれて、膜が表面層１４０を押し付けて、結合を引き起こすことになる。別の実施例として、ニット構成要素１３０と表面層１４０を一緒に圧縮するのに、二重膜システムを用いてもよい。
【００８８】
異なる圧縮性を有するように材料１５３および１５４を選択するという利点は、突出領域１３３がもたらすアッパー１２０の３次元態様に関連している。より具体的には、異なる圧縮性は、ニット構成要素１３０と表面層１４０とが圧縮されて結合されたときに、突出領域１３３が、膨らみ、突出部、隆起部または他の外側に延びている部分を形成し続けることを確実にする。圧縮性材料がない場合、アッパー１２０が、突出領域１３３に外側に延びている部分を含む程度は、より小さくてもよい。
【００８９】
〈足首カフの構造〉
図１２〜図１５には、着用者の足首の少なくとも一部を覆うための足首カフ１６０を含む履物１００の別の構造が図示されている。そのため、足を覆うことに加えて、アッパー１２０は、上方に延びて、足首の一部を覆う。
【００９０】
参照のために、アッパー１２０は、図１２、図１３および図１５に示すように、２つの大まかな領域、すなわち、足領域１０６と足首領域１０７とに分けることができる。足領域１０６は、領域１０１〜領域１０３の各々を通って延びており、足に一致するアッパー１２０の部分を大略的に含んでいる。履物１００の多くの構造では、足領域１０６は、着用者の外果および内果（すなわち、足首の各側部の骨の隆起部）の下になるように意図されているアッパー１２０の部分に相当する。足首領域１０７は、主にかかと領域１０３に配置され、足首に一致するアッパー１２０の部分を大略的に含んでいる。履物１００の多くの構造では、足首領域１０７は、外果および内果を覆って、それらの上に広がるように意図されているアッパー１２０の部分に相当する。
【００９１】
足首カフ１６０は、足首領域１０７に配置されて、ニット構成要素１３０の足首部分を形成している。足領域１０６に位置しているニット構成要素１３０の残りの部分は、ニット構成要素１３０の足部分を形成している。ニット構成要素１３０の足部分が、着用者の足を覆っているのに対して、足首カフ１６０を含むニット構成要素１３０の足首部分は、履物１００が着用された場合の着用者の足首を覆っている。さらに、足首カフ１６０と、ニット構成要素１３０の足首部分は、ニット構成要素１３０の足部分を有する一体ニット構造で形成してもよい。
【００９２】
縫い目１２９が足首カフ１６０にあってもよいが、ニット構成要素１３０の足首部分は、着用者の足首の周り全体に及ぶための連続構造を有している。
【００９３】
図１４の平面図を参照すると、足首カフ１６０は、アッパー１２０内の空洞にアクセスできるようにする円形、楕円形または別なふうに連続的で丸みを帯びた開口部１６１を形成している。開口部１６１は、足が通過して空洞に入ることを可能にする比較的大きな寸法を有してもよい。しかし、履物１００の多くの構造では、開口部１６１は、足を収容するように伸びる。さらに、足首カフ１６０は、普通の足首よりも小さい寸法を有していてもよく、また、足首カフ１６０は、一旦、足が空洞内に配置されると、少し伸びたままで、足首をきつく押し付けてもよい。したがって、足首カフ１６０と、足首領域１０７におけるニット構成要素１３０の他の部分は、伸縮性を有するように形成してもよい。
【００９４】
足首領域１０７が伸縮性を有しているのに対して、アッパー１２０の足領域１０８は、足のサポートをもたらすように、およびソール構造１２０に対する足の動きを制限するように、ある程度伸びてもよい。すなわち、足領域１０６は、第１の程度の伸縮性を有し、また、足首領域１０７は、第２の程度の伸縮性を有してもよく、第１の程度の伸縮性は、第２の程度の伸縮性よりも小さい。いくつかの構造では、領域１０６および１０７の両方におけるニット構成要素１３０の部分は、同様の伸縮性を有してもよく、また、足首領域１０６におけるインレイストランド１３２および表面層１４０の存在が、足首領域１０６における伸縮性を制限してもよい。他の構造では、ニット構成要素１３０の足首部分は、伸縮性を付与するヤーンまたはニット構造で形成してもよく、一方、ニット構成要素１３０の足部分は、より小さな伸縮性を付与するヤーンまたはニット構造によって形成してもよい。
【００９５】
足首カフ１６０の伸縮性を高めるために、表面層１４０は、足首領域１０７になくてもよい。すなわち、表面層１４０は、ニット構成要素１３０の足首部分にはなくてもよい。この構造では、足首カフ１６０を含むニット構成要素１３０の足首部分は、足首領域１０７における外側面１２１および内側面１２２の部分を形成している。このように、足首カフ１６０を構成する表面層１４０およびニット構成要素１３０の部分は、外側面１２１の大部分を形成し、また、ニット構成要素１３０は単独で、内側面１２２の比較的多くの部分を形成していてもよい。
【００９６】
足首カフ１６０の領域では、表面層１４０は、側部１０４および１０５の各々で下方に延びている凹状縁部１４１を形成している。より具体的には、表面層１４０は、外果および内果を覆うニット構成要素１３０の領域がなくてもよい。この構造の利点は、足首カフ１６０は、外果および内果上で伸びて、それによって、履物１００の快適性を高めることができるということである。他の構造では、表面層１４０は、外果および内果を覆うように上方へ延びていてもよく、または、縁部１４１は、足首カフ１６０の領域では、比較的直線状または凸状であってもよい。
【００９７】
上記の説明に基づいて、足首カフ１６０は、アッパー１２０の他の部分よりも大きな伸縮性を呈していてもよい。この構造は、足が履物１００に入ることを可能にすることに加えて、足のサポートをもたらし、およびソール構造１２０に対する足の動きを制限する。くわえて、足首カフ１６０は、履物１００が着用されたときに、伸びた状態のままでもよく、および足首を押し付けてもよく、これらのことは、２つの利点をもたらす。すなわち、第一には、足首カフ１６０が、ごみ、ほこりおよびその他の破片が履物１００に入るのを防ぐ。第二には、着用者は、足首の周りの足首カフ１６０の存在に気付くことができ、そのことが、着用者の足の固有感覚認識度を高めている。
【００９８】
〈締めひもチャネルの構造〉
ベロ１２７内にいくつかの締めひもチャネル１７０を含んでいる履物１００のさらなる構造が図１６および図１７に図示されている。締めひも１２５は、締めひもチャネル１７０を通り、それによって、締めひも１２５の部分がベロ１２７内に配置されている。
【００９９】
履物１００の残りの部分とは別にベロ１２７を図示している図１８および図１９を参照すると、締めひもチャネル１７０の各々は、履物１００の長手方向軸に対して対角線上に向けて配置されている。締めひもチャネル１７０の位置は、締めひも収容要素１２６の位置と概して一致しており、およびそのひもが締めひも収容要素１２６間を通過するように、締めひも１２５の自然の経路をたどっている。すなわち、締めひもチャネル１７０の位置および方向は、締めひも収容要素１２６のうちの２つが、各締めひもチャネル１７０の両端部に隣接して位置するように選択される。実際には、締めひもチャネル１７０は、２つの締めひも収容要素１２６の間に延びるラインに沿って配置される。さらに、締めひも１２５は、いくつかの締めひもチャネル１７０を通って延び、および締めひもチャネル１７０の両端部に配置されている締めひも収容要素１２６に係合している。このように、締めひも１２５は、締めひも収容要素１２６の間でジグザグの経路をたどっている。
【０１００】
締めひもチャネル１７０は、管状構造１３４および１３５と同様の構造を有している。このように、締めひもチャネル１７０は、互いに重なっている、２つの別々で離間された繊維層１７１を含んでいる。締めひもチャネル１７０の縁部領域は接合されて、一体ニット構造で形成されているのに対して、中央領域は接合されずに、締めひも１２５がその中に配置される管状構造を形成している。すなわち、締めひも１２５は、長手方向で、各締めひもチャネル１７０を通って延びており、それによって、各締めひもチャネル１７０の長さに沿って延びている。
【０１０１】
ベロ１２７を形成するのに、さまざまな方法を用いてもよいが、編みプロセス（例えば、横編みプロセス）を用いることができる。同様の編みプロセスがベロ１２７およびニット構成要素１３０のために用いられる構造では、ベロ１２７およびニット構成要素１３０の各々は、同様の特性、材料および外観を有してもよい。くわえて、編みプロセスの利点は、締めひもチャネル１７０は、ベロ１２７の残りの部分を有する一体ニット構造で形成することができ、そのことが、効率的な製造をもたらし、および滑らかで縫い目のない構造をベロ１２７に与える。
【０１０２】
ニット構成要素１３０と締めひも１２５を組み合わせた構造を図２０に示す。図９Ａ〜図９Ｃの構造と同様に、ニット要素１３１は、スロート領域１２４に一致する領域を横切って広がり、それによって、ベロ１２７の代わりになっている。さらに、ニット要素１３１は、いくつかの締めひもチャネル１７０を形成している。ベロ１２７におけるいくつかの締めひもチャネル１７０の場合と同様に、この構造における締めひもチャネル１７０は、互いに重なっている２つの別々の離間された繊維層であり、一体ニット構造で形成され、および締めひも１２５を収容する。
【０１０３】
締めひもチャネル１７０を通って延びている締めひも１２５が図２０に図示されている。締めひも収容要素１２６を形成する開口に代わって、インレイストランド１３２が露出されて、締めひも１２５を収容するためのループを形成している。すなわち、インレイストランド１３２によって形成されたループが締めひも収容要素１２６であり、それらは、スロート領域１２４の両側に設けられている。締めひも１２５は、（ａ）インレイストランド１３２によって形成されたループと、（ｂ）いくつかの締めひもチャネル１７０を通って延びている。ベロ１２７と同様に、締めひもチャネル１７０の各々は、長手方向軸に対して対角線上に向けられて、締めひも１２５の自然な経路をたどっている。すなわち、締めひもチャネル１７０の位置および方向は、２つのループが、各締めひもチャネル１７０の両端部に隣接して位置するように選択される。このように、締めひも１２５は、インレイストランド１３２によって形成されたループ間で、ジグザグの経路をたどっている。
【０１０４】
締めひもチャネル１７０は、さまざまな長さを有していてもよい。図１６において、締めひもチャネル１７０の端部は、スロート領域１２４内のニット構成要素１３０の縁部に隣接して配置されている。ニット構成要素１３０は、ベロ１２７の部分に重なっているが、締めひもチャネル１７０の端部は露出されて、締めひも１２５を収容する。
【０１０５】
図２０においては、締めひもチャネル１７０の端部は、締めひも収容要素１２６を形成しているループに隣接して配置されている。どちらの構造でも、締めひもチャネル１７０のうちの１つ以上が、３センチメートル以上の長さを有していてもよい。しかし、他の構造では、締めひもチャネル１７０は、１〜１０センチメートル以上の範囲であってもよい。
【０１０６】
スロート領域１２４に一致する領域において、インレイストランド１３２によって形成されたループ間にいくつかの開口１７２を画成している、ニット構成要素１３０のさらなる構造を図２１および図２２に示す。開口１７２は、ニット要素１３１を通って延びている開口部を形成している。この構造では、締めひも１２５は、いくつかの開口１７２を通って延び、また、締めひも１２５の部分は、ニット要素１３１の両側に隣接して位置している。より具体的には、締めひも１２５は、インレイストランド１３２によって形成されたループを通って延びて開口１７２に入り、それによって、それらのループ間にある締めひも１２５の部分を、ニット要素１３１の両側に隣接して配置する。開口１７２の位置は、インレイストランド１３２によって形成されたループの位置に概して一致しており、および締めひも１２５の自然な経路をたどっている。すなわち、開口１７２は、インレイストランド１３２によって形成されたループのうちの２つの間に延びるラインに沿って配置されている。
【０１０７】
〈追加的な構造〉
履物１００、アッパー１２０、ニット構成要素１３０および表面層１４０のさまざまな構造が上述されてきた。しかし、それらの構造は、履物１００に組み込んでもよい構造および他の機能の実施例を提供することが意図されている。履物１００、アッパー１２０、ニット構成要素１３０および表面層１４０に対する多くの変形が可能であるが、いくつかの追加的な構造を以下に説明する。
【０１０８】
履物１００の多くの構造では、ニット構成要素１３０は、内側面１２２の大部分を形成している。図２３および図２４を参照すると、ニット構成要素１３０に固定されて、内側面１２２の部分を形成している内側層１８０が図示されている。内側層１８０は、アッパー１２０の伸びを抑制することができ、およびアッパー１２０の耐摩耗性または磨耗耐久性を高めることができる。また、内側層１８０は、履物１００に耐摩耗性を付与してもよい。くわえて、内側層１８０を含むように履物１００を形成すれば、均一なフィット性および足への適合性、着用者に対する快適性が向上した、比較的縫い目のない内部、比較的軽い重量、および足に対するサポートをもたらすことができる。内側層１８０は、表面層１４０も含む構造に利用してもよいが、内側層１８０は、表面層１４０がない場合に、または、表面層１４０の代わりとして用いてもよい。
【０１０９】
内側層１８０は、ニット構成要素１３０の実質的にすべてを覆って延びていてもよく、または、ニット構成要素１３０の特定の領域にはなくてもよい。例えば、足先領域１０１に一致する領域では、内側層１８０は、アッパー１２０の伸縮性、柔軟性および通気性を高めることができる複数の開口１８１を画成している。開口１８１のサイズ、位置および数を変えることにより、アッパー１２０の特性を変えてもよい。
【０１１０】
インレイストランド１３２に隣接する領域では、内側層１８０は、より大きな開口を有するように形成され、および中足領域１０２に一致する領域に柔軟性を促進するとともに、安定性および耐伸縮性ももたらす可能性のある連接構造を有している。また、内側層１８０のこの部分は、締めひも１２５が締められたときに、張力を受けて、伸張が抑えられることがある。このように、内側層１８０とインレイストランド１３２の組合せは、アッパー１２０の伸張に対してより大きな抵抗力を付与することができる。かかと領域１０３に一致する領域では、内側層１８０は、追加的な耐伸縮性および耐久性をカラー１２３にもたらすように設けられている。また、内側層１８０は、ストローベル式中敷き１２８に接合されているニット構成要素１３０の縁部まで延びており、そのことが、内側層１８０をソール構造１１０に有効に結合または接合することにも留意すべきである。
【０１１１】
さまざまな材料を内側層１８０に用いることができる。実施例として、内側層１８０は、表面層１４０の特性の多くを備えたポリマー層であってもよい。また、内側層１８０は、ニット構成要素１３０に接着されるか、または結合される超極細繊維等の繊維であってもよい。いくつかの構造では、内側層１８０は、ニット構成要素１３０に熱結合するための熱可塑性高分子材料を含む多層構造を有していてもよい。
【０１１２】
表面層１４０は、ニット構成要素１３０の実質的にすべてを覆っていてもよいが、表面層１４０は、ニット構成要素１３０のいくつかの領域にはなくてもよい。上述した実施例に関しては、表面層１４０は、スロート領域１２４または足首領域１０７にはなくてもよい。
【０１１３】
別の実施例として、図２５Ａは、中足領域１０３に対応する領域と、インレイストランド１３２を含む領域には存在しているが、足先領域１０１およびかかと領域１０３に対応する領域にはないような表面層１４０を示す。さらに、表面層１４０は、いくつかの突出領域１３３を覆っているが、他の突出領域１３３は、露出されたままである。したがって、表面層１４０は、ニット構成要素１３０の特定の領域のみを覆って、それによって、ニット構成要素１３０の他の領域は露出したままにしてもよい。
【０１１４】
表面層１４０の単一の要素は、上述した多くの構造において、ニット構成要素１３０に固定されている。図２５Ｂを参照すると、分割線１４２が、足先領域１０１に一致する領域を通って長手方向に延びており、それによって、表面層１４０の異なる部分を分けている。この構造では、表面層１４０の各部分は、異なる特性を有してもよい。より具体的には、表面層１４０を形成する材料、その材料の厚さ、または、他の特性は、表面層１４０のそれらの部分の間で変えてもよく、それにより、アッパー１２０の異なる領域に異なる特性を付与してもよい。さらなる構造では、分割線１４２は、他の領域に設けてもよく、または、表面層１４０のそれらの部分は、ニット構成要素１３０の一部を露出させるように、互いに離間していてもよい。
【０１１５】
本発明は、さまざまな構造に関して、上記および添付図面に開示されている。しかし、その開示が果たす目的は、本発明に関連するさまざまな特徴および概念の実施例を示すことであり、本発明の範囲を限定することではない。当業者は、添付クレームによって定義される本発明の範囲から逸脱することなく、上述した構造に対してさまざまな変形および変更を行ってもよいことを正しく認識するであろう。
【０１１６】
本米国特許出願は、２０１２年１１月１５日に米国特許商標庁に出願された、「ニット構成要素を組み込んだ履物製品」というタイトルの米国特許仮出願第６１／７２７，０１０号明細書（代理人明細書番号５１−２９０６）の継続出願であり、およびその出願に対する優先権を主張するものであり、その開示全体は、参照によって本願明細書に組み込まれるものとする。
【図１】
0006529008.tif 000002
【図２】
0006529008.tif 000003
【図３】
0006529008.tif 000004
【図４Ａ】
0006529008.tif 000005
【図４Ｂ】
0006529008.tif 000006
【図４Ｃ】
0006529008.tif 000007
【図５】
0006529008.tif 000008
【図６】
0006529008.tif 000009
【図７Ａ】
0006529008.tif 000010
【図７Ｂ】
0006529008.tif 000011
【図７Ｃ】
0006529008.tif 000012
【図８Ａ】
0006529008.tif 000013
【図８Ｂ】
0006529008.tif 000014
【図９Ａ】
0006529008.tif 000015
【図９Ｂ】
0006529008.tif 000016
【図９Ｃ】
0006529008.tif 000017
【図１０Ａ】
0006529008.tif 000018
【図１０Ｂ】
0006529008.tif 000019
【図１０Ｃ】
0006529008.tif 000020
【図１０Ｄ】
0006529008.tif 000021
【図１１Ａ】
0006529008.tif 000022
【図１１Ｂ】
0006529008.tif 000023
【図１１Ｃ】
0006529008.tif 000024
【図１１Ｄ】
0006529008.tif 000025
【図１２】
0006529008.tif 000026
【図１３】
0006529008.tif 000027
【図１４】
0006529008.tif 000028
【図１５】
0006529008.tif 000029
【図１６】
0006529008.tif 000030
【図１７】
0006529008.tif 000031
【図１８】
0006529008.tif 000032
【図１９】
0006529008.tif 000033
【図２０】
0006529008.tif 000034
【図２１】
0006529008.tif 000035
【図２２】
0006529008.tif 000036
【図２３】
0006529008.tif 000037
【図２４】
0006529008.tif 000038
【図２５Ａ】
0006529008.tif 000039
【図２５Ｂ】
0006529008.tif 000040